(57)【要約】  【課題】  特別な技能のない使用者が棒状描画材の先端部を所望の特定形状に削り出す作業を短時間に確実に行い得る棒状描画材用削り器を提供する。  【解決手段】  棒状描画材６の先端部を当てて前後方向における摺動を行う摺動面１１を有する摺動部材１と、前側に向けられた刃先２１ｂが摺動面１１より僅かに高い位置で摺動面１１の後端縁１１ｂに対向して設けられ、摺動面１１に当てて行う摺動から連続する摺動を可能とする連続面２１を有し、摺動面１１から連続面２１に亘って行われる摺動を通じて棒状描画材６の先端部を所定の形状に削り出す刃２とを備え、摺動面１１が正面視で鋭角である内角に設定されたＶ字形状に形成され、かつ、刃２が正面視で摺動面１１と同様なＶ字形状である折板形状に形成されることにより、棒状描画材６の先端部を正面視で断面切刃形状に削り出すことを可能としたものである。【選択図】  図１
2006035819.tif 000002
【特許請求の範囲】
【請求項１】
棒状描画材の先端部を当てて前後方向における摺動を行うための摺動面を上側に有する摺動部材と、前側に向けられた刃先が摺動面より僅かに高い位置で摺動面の後端縁に対向するように設けられ、摺動面に当てて行う摺動から連続する摺動を可能とする連続面を上側に有し、摺動面から連続面に亘って行われる摺動を通じて棒状描画材の先端部を所定の形状に削り出す刃とを備えた棒状描画材用削り器であって、
前記摺動面が正面視で鋭角である内角に設定されたＶ字形状に形成され、かつ、前記刃が正面視で摺動面と同様なＶ字形状である折板形状に形成されることにより、棒状描画材の先端部を正面視で断面切刃形状に削り出すことを可能としたことを特徴とする棒状描画材用削り器。
【請求項２】
前記刃は、上側に刃裏が配された片刃を切刃としたことを特徴とする請求項１に記載の棒状描画材用削り器。
【請求項３】
前記摺動部材及び刃は、同一の材料により一体に成形されていることを特徴とする請求項１又は２に記載の棒状描画材用削り器。
【請求項４】
前記摺動面は、上側端面に削り屑を落とし込むためのスリットを有するとともにこのスリットを通じて落とし込んだ削り屑を収容する収容部を有する容器の上側端面のうちスリットの前側に形成されており、
前記連続面は、前記容器の上側端面のうちスリットの後側に形成されていることを特徴とする請求項１〜３のいずれか一項に記載の棒状描画材用削り器。
【発明の詳細な説明】
【技術分野】
【０００１】
本発明は、使用者がアイブロー、アイライナーその他の棒状描画材を使って皮膚その他の被描画体上に細い線を描くに当たって、棒状描画材の先端部を特定の形状に削り出すために用いる棒状描画材用削り器に関する。
【背景技術】
【０００２】
従来の棒状描画材用削り器としては、棒状描画材の先端部を回転運動により先が尖った円錐形状に削り出すというものが一般的であった。ところが、円錐形状の棒状描画材では、使用に伴い先がすぐに丸くなって細い線を描くことができなくなるため、頻繁に棒状描画材の削り出し作業を行うことが必要となる。そこで、近年においては、棒状描画材を頻繁に削らなくて済む平刀形状（彫刻刀形状）等に削り出すことが可能な棒状描画材用削り器が使用されている（例えば、特許文献１参照）。
【特許文献１】特開２０００−３１８３８３号公報
【発明の開示】
【発明が解決しようとする課題】
【０００３】
しかしながら、かかる棒状描画材用削り器を使って棒状描画材の削り出し作業を行うに当たっては、カッターナイフを使って行う棒状描画材の削り出し作業と同様な熟練した技能が必要とされる。
よって、特別の技能を有しない使用者にとって、かかる棒状描画材用削り器を使って棒状描画材の先端部を短時間に確実に所望の平刀形状等に削り出すことは事実上かなり困難であり、棒状描画材を使って行う描画を煩雑化させる一因ともなっている。
【０００４】
そこで、本発明は、特別な技能を有しない使用者が棒状描画材の先端部を所望の特定形状に削り出す作業を短時間に確実に行うことが可能な棒状描画材用削り器を提供することにより、棒状描画材を使って行う描画の容易化を図ることを目的とする。
【課題を解決するための手段】
【０００５】
すなわち、請求項１に係る発明は、棒状描画材の先端部を当てて前後方向における摺動を行うための摺動面を上側に有する摺動部材と、前側に向けられた刃先が摺動面より僅かに高い位置で摺動面の後端縁に対向するように設けられ、摺動面に当てて行う摺動から連続する摺動を可能とする連続面を上側に有し、摺動面から連続面に亘って行われる摺動を通じて棒状描画材の先端部を所定の形状に削り出す刃とを備えた棒状描画材用削り器であって、摺動面が正面視で鋭角である内角に設定されたＶ字形状に形成され、かつ、刃が正面視で摺動面と同様なＶ字形状である折板形状に形成されることにより、棒状描画材の先端部を正面視で断面切刃形状に削り出すことを可能としたものである。
ここで、Ｖ字形状としては、棒状描画材の先端部を頻繁に削らなくて済む正面視で断面切刃形状に削り出す目的を達成し得るものであれば十分であり、斜面部分のすべてが直線形状として形成されるＶ字形状に限られず、斜面部分に多少の曲線形状を含んで形成されるＶ字形状もが包含される。
かかる棒状描画材用削り器によれば、棒状描画材の先端部を正面視で断面切刃形状に削り出すことが可能なＶ字形状の摺動面及びこれと同様なＶ字形状の刃で摺動面から連続する連続面を有するものを備えるので、特別な技能を有しない使用者が、摺動面から連続面に亘って行う摺動を通じて棒状描画材の先端部を所望の特定形状に削り出す作業を短時間に確実に行うことが可能となり、これにより、棒状描画材を使って行う描画の容易化を図ることが可能となる。
【０００６】
このような技術的手段において、最低限の切れ味を担保することとして、棒状描画材の先端部を所望の特定形状に削り出す作業をさらに短時間に確実に行うようにする観点からすれば、刃は、上側に刃裏が配された片刃を切刃としたことが好ましい。
また、軟らかい棒状描画材の特質からすれば必ずしも金属製の刃を採用することを要しない点を考慮するとともに、部品点数の削減を通じての製造コストの低減効果が十分に得られるようにする観点からすれば、摺動部材及び刃は、同一の材料により一体に成形されていることが好ましい。
さらに、本削り器を内部に削り屑を収容することが可能な容器に組み込むこととして、より付加価値の高い製品を市場に供給しようとする観点からすれば、摺動面は、上側端面に削り屑を落とし込むためのスリットを有するとともにこのスリットを通じて落とし込んだ削り屑を収容する収容部を有する容器の上側端面のうちスリットの前側に形成されており、連続面は、容器の上側端面のうちスリットの後側に形成されていることが好ましい。
【発明の効果】
【０００７】
本発明に係る棒状描画材用削り器によれば、特別な技能を有しない使用者が棒状描画材の先端部を所望の特定形状に削り出す作業を短時間に確実に行うことが可能となり、棒状描画材を使って行う描画の容易化が図られることとなる。
【発明を実施するための最良の形態】
【０００８】
以下、添付図面に基づいて本発明の実施の形態を詳細に説明する。
【０００９】
図１は本発明の一実施の形態に係る棒状描画材用削り器の全体構成を示す斜視図、図２は同棒状描画材用削り器の縦断面図、図３は同棒状描画材用削り器の横断面図、図４は同棒状描画材用削り器の平面図、図５は同棒状描画材用削り器の使用状態を示す斜視図、図６は同棒状描画材用削り器の使用後における棒状まゆずみを示す斜視図である。
【００１０】
本実施の形態において、棒状描画材用削り器は、棒状まゆずみ６を頻繁に削る必要のない正面視で断面切刃形状に削り出す作業を行う目的に用いられるものとして構成されている（図５及び図６参照）。
【００１１】
そして、この棒状描画材用削り器は、図１〜図３に示すように、摺動部材１と、刃２と、スリット３と、収容部４とを備えたものとして構成されている。
【００１２】
摺動部材１は、図１〜図４に示すように、板状の部材であって上側に摺動面１１を有するものとして構成されている。
【００１３】
この摺動面１１は、従来の棒状描画材用削り器におけるものと同様に、棒状まゆずみ６の先端部を当てて前後方向における摺動を行うために用いられるものとして構成されている（図５参照）。
【００１４】
具体的には、摺動面１１は、図１、図２及び図４に示すように、上下に分割された容器５のうち上側容器５１の上側端面のうち後述するスリット３の前側に形成されている。
【００１５】
ここで、摺動面１１は、図３に示すように、従来の棒状描画材用削り器におけるものと異なり、正面視で鋭角である内角１１ａに設定されたＶ字形状に形成されている。
【００１６】
この摺動面１１に正面視で鋭角である内角１１ａに設定されたＶ字形状に形成されることを要求するのは、後述する刃２とともに所定のＶ字形状に形成することにより、特別な技能を有しない使用者が棒状まゆずみ６の先端部を短時間に確実に正面視で断面切刃形状（図６参照）に削り出すことが可能な棒状描画材用削り器とするためである。したがって、このような役割を果たすものであれば、本発明において板状の部材である摺動部材１の上側に形成された摺動面１１の代わりにブロック状の部材である摺動部材の上側に形成された摺動面その他の摺動面を用いることが可能である。
【００１７】
刃２は、図１〜図３に示すように、前側に向けられた刃先２１ｂが摺動面１１より僅かに高い位置で摺動面１１の後端縁１１ｂに対向するように設けられたものとして構成されている。
【００１８】
本実施の形態において、刃２は、図２に示すように、上側に刃裏が配された片刃を切刃としたものとして構成されている。
【００１９】
これにより、最低限の切れ味を担保することが可能となっており、その結果、棒状まゆずみ６の先端部を正面視で断面切刃形状（図６参照）に削り出す作業をさらに短時間に確実に行うことが可能となっている。
【００２０】
そして、この刃２は、図１〜図４に示すように、板状の刃であって上側に連続面２１を有するものとして構成されている。
【００２１】
この連続面２１は、棒状まゆずみ６の先端部を摺動面１１に当てて行う摺動から連続する摺動を可能とするものとして構成されている（図５参照）。
【００２２】
すなわち、このような連続面２１により、棒状まゆずみ６の先端部を摺動面１１に当てて行う摺動から連続する摺動を通じて棒状まゆずみ６の先端部を正面視で断面切刃形状（図６参照）に削り出すことが可能となっている。
【００２３】
具体的には、連続面２１は、図１、図２及び図４に示すように、上下に分割された容器５のうち上側容器５１の上側端面のうち後述するスリット３の後側に形成されている。
【００２４】
ここで、刃２は、図３に示すように、正面視で摺動面１１と同様な鋭角である内角２１ａに設定されたＶ字形状である折板形状に形成されている。
【００２５】
この刃２に正面視で摺動面１１と同様なＶ字形状である折板形状に形成されることを要求するのは、摺動面１１とともに所定のＶ字形状に形成することにより、特別な技能を有しない使用者が棒状まゆずみ６の先端部を短時間に確実に正面視で断面切刃形状（図６参照）に削り出すことが可能な棒状描画材用削り器とするためである。したがって、このような役割を果たすものであれば、本発明において上側に刃裏が配された片刃を切刃とした刃２の代わりに両刃を切刃とした刃その他の刃を用いることが可能である。
【００２６】
スリット３は、図４に示すように、容器５の上側端面に横断方向に延びるように開設されたものとして構成されている。すなわち、このようなスリット３により、摺動面１１から連続面２１に亘って行う摺動を通じての削り出し作業により生じた削り屑を容器５内に落とし込むことが可能となっている（図５参照）。
【００２７】
具体的には、スリット３は、図２及び図３に示すように、上下に分割された容器５のうち上側容器５１の上側端面に横断方向に延びるように開設されたものとして構成されている。
【００２８】
収容部４は、図２及び図３に示すように、容器５の内側に設けられたものとして構成されている。すなわち、このような収容部４により、スリット３を通じて落とし込んだ削り屑を容器５内に収容することが可能となっており、その結果、削り屑の周辺への散乱を回避することが可能となっている（図２及び図３参照）。
【００２９】
具体的には、収容部４は、図２及び図３に示すように、上下に分割された容器５のうち下側容器５２の内側に設けられたものとして構成されている。
【００３０】
なお、上側容器５１は、その下端部が下側容器５２の上端部に対して嵌着されているが、下側容器５２から取り外すことが可能となっており、取り外した場合に形成される下側容器５２の開口を通じて蓄積された削り屑をゴミ箱等に捨てることが可能となっている（図２及び図３参照）。
【００３１】
つまり、本実施の形態に係る棒状描画材用削り器にあっては、削り屑の収容が可能な容器５に組み込まれたものとして具現化されているため、より付加価値の高い製品を市場に供給することが可能となっている。
【００３２】
ここで、摺動部材１及び刃２は、同一の材料であるプラスチック材料により一体に成形されている（図２及び図３参照）。
このような摺動部材１及び刃２により、軟らかい棒状まゆずみ６の特質からすれば必ずしもセラミックスや金属材料からなる刃を採用することを要しない点が十分に考慮されることになっており、部品点数の削減を通じて製造コストの低減効果が十分に得られることが可能となっている。
【００３３】
上記したように、本実施の形態に係る棒状描画材用削り器にあっては、棒状まゆずみ６の先端部を正面視で断面切刃形状に削り出すことが可能なＶ字形状の摺動面１１及びこれと同様なＶ字形状の刃２で摺動面１１から連続する連続面２１を有するものを備えている。
【００３４】
したがって、このような棒状描画材用削り器によれば、特別な技能を有しない使用者が、摺動面１１から連続面２１に亘って行う摺動を通じて棒状まゆずみ６の先端部を正面視で断面切刃形状（図６参照）に削り出す作業を短時間に確実に行うことが可能となっており、その結果、棒状まゆずみ６を使って行う化粧の容易化を図ることが可能となっている。
【００３５】
以上、本実施の形態においては、化粧品としての棒状まゆずみに適用する場合について説明したが、本発明は、このような実施の形態に限定されるものではない。例えばアイライナー、リップライナー、コンシーラー等の芯に適用してもよいし、棒状口紅、リップクリーム、アイシャドウ等に適用してもよい。また、化粧品に限定されず、クレヨンや色鉛筆の芯等の筆記具その他の物品に広く適用可能である。
【図面の簡単な説明】
【００３６】
【図１】本発明の一実施の形態に係る棒状描画材用削り器の全体構成を示す斜視図である。
【図２】同棒状描画材用削り器の縦断面図である。
【図３】同棒状描画材用削り器の横断面図である。
【図４】同棒状描画材用削り器の平面図である。
【図５】同棒状描画材用削り器の使用状態を示す斜視図である。
【図６】同棒状描画材用削り器の使用後における棒状まゆずみを示す斜視図である。
【符号の説明】
【００３７】
１ 摺動部材
２ 刃
３ スリット
４ 収容部
５ 容器
６ 棒状まゆずみ
１１ 摺動面
１１ａ 内角
１１ｂ 後端縁
２１ 連続面
２１ａ 内角
２１ｂ 刃先
５１ 上側容器
５２ 下側容器
【図１】
2006035819.tif 000003
【図２】
2006035819.tif 000004
【図３】
2006035819.tif 000005
【図４】
2006035819.tif 000006
【図５】
2006035819.tif 000007
【図６】
2006035819.tif 000008